(57)【要約】  筒状で一方の端部に正極端子と負極端子が配置された複数の素電池を備えた電池モジュールであって、一方の端子は中央部に位置し、別の端子は周縁部に位置して素電池の筒の側面と電気的に接続しており、別の端子上に置かれた接続仲介部材は筒の側面沿い延びて電気的接続しているタブ部を備え、一方の端部の中央部を露出させる孔がある。複数の素電池は一方の端部が同じ側に向き且つ隣合う素電池が並んだ電池ブロックを形成し、複数の素電池の一方の端部の上方には電気絶縁性で各素電池が露出する穴が設けられた板が配置され且つ素電池とは反対側の面の上に複数の導電性部材が設けられ、導電性部材は素電池が並んだ列に沿って延び１つの電池ブロックに２つ配置され、１つの電池ブロックの各素電池の同じ極の端子に接続される端子接続部を備えており、別の端子は接続仲介部材によって端子接続部と接続されている。
2019244392.tif 000002
【特許請求の範囲】
【請求項１】
複数の素電池を備えた電池モジュールであって、
前記素電池は筒状であって一方の端部に正極端子及び負極端子が配置されており、
前記正極端子及び前記負極端子のいずれかの端子は前記一方の端部の中央部に位置しており、別の端子は前記一方の端部の周縁部に位置しているとともに前記素電池の筒の側面部と電気的に接続しており、
前記素電池の前記一方の端部の周縁部の上には接続仲介部材が載置されており、
前記接続仲介部材は、前記素電池の筒の側面部に沿って延びるとともに前記側面部と電気的に接続しているタブ部を備え、かつ前記一方の端部の中央部を露出させる孔が形成されており、
前記複数の素電池は、前記一方の端部が同じ側に並ぶように配列されているとともに、隣合う前記素電池が並んだ列からなる電池ブロックを形成しており、
配列された前記複数の素電池の前記一方の端部の上方には電気絶縁性の板が配置されており、
前記板には、各前記素電池の前記一方の端部が露出する穴が設けられているとともに、前記素電池に対向する面とは反対側の面の上に複数の導電性部材が設けられており、
前記導電性部材は、前記電池ブロックにおける前記素電池が並んだ前記列に沿って延びていて、１つの前記電池ブロックに対して２つ配置されているとともに、前記１つの前記電池ブロックに含まれる各前記素電池の同じ極の端子に前記穴を通って電気的に接続される端子接続部を備えており、
前記別の端子と前記端子接続部との電気的接続は、前記端子接続部と前記接続仲介部材との接続によって行われる、電池モジュール。
【請求項２】
前記タブ部は隣接する前記素電池から離れた位置に配置されている、請求項１に記載の電池モジュール。
【請求項３】
前記素電池は円筒状であり、
前記タブ部は互いに隣接する前記素電池間に形成される空間に配置されている、請求項２に記載の電池モジュール。
【請求項４】
前記接続仲介部材と前記素電池の一方の端部との間には、電気絶縁性の保護部材が配置されている、請求項１から３のいずれか一つに記載の電池モジュール。
【請求項５】
前記接続仲介部材は、前記素電池の筒の側面部に沿って延びる舌片部をさらに有している、請求項１から４のいずれか一つに記載の電池モジュール。
【請求項６】
前記接続仲介部材は他の部分よりも外方へ突き出した外方凸部を有しており、
前記外方凸部において前記端子接続部と接続がおこなれている、請求項１から５のいずれか一つに記載の電池モジュール。
【請求項７】
前記外方凸部は隣接する前記素電池から離れた位置に配置されている、請求項６に記載の電池モジュール。
【発明の詳細な説明】
【技術分野】
【０００１】
本発明は、複数の素電池を備えた電池モジュールに関するものである。
【背景技術】
【０００２】
近年、省資源や省エネルギーの観点から、繰り返し使用できるニッケル水素、ニッケルカドミウムやリチウムイオンなどの二次電池の需要が高まっている。中でもリチウムイオン二次電池は軽量でありながら起電力が高く、高エネルギー密度であるという特徴を有している。そのため、携帯電話やデジタルカメラ、ビデオカメラ、ノート型パソコンなどの様々な種類の携帯型電子機器や移動体通信機器の駆動用電源としての需要が拡大している。【０００３】
一方、化石燃料の使用量を低減させるためやＣＯ２の排出量を削減するために、自動車などのモータ駆動用の電源として、あるいは家庭用や産業用の電源として電池モジュールへの期待が大きくなっている。このような電池モジュールの一例として、所望の電圧や容量を得るために、複数の素電池からなりそれらを並列接続及び直列接続した組電池を複数個搭載して構成されているものを挙げることができる。特許文献１にはそのような電池モジュール（バッテリーパック）であって、複数個のバッテリーセルを含み、この複数個のバッテリーセルは、当該複数個のバッテリーセルの第１の端部のところに前記バッテリーセルの第１の端子を有すると共に当該複数個のバッテリーセルの前記第１の端部のところに前記バッテリーセルの第２の端子の複数個の部分を有し、前記複数個のバッテリーセルの前記第１の端部は、同一平面上配置状態にあり、前記複数個のバッテリーセルの前記第１の端部の近くに設けられると共に前記複数個のバッテリーセルを直列接続、並列接続、又は直列及び並列接続のうちの１つの接続状態に配置するよう前記複数個のバッテリーセルの前記第１の端子及び前記第２の端子の前記部分に結合された複数個のバスバーを含むものが開示されている。
【先行技術文献】
【特許文献】
【０００４】
【特許文献１】特表２０１６−５１６２７３号公報
【発明の概要】
【発明が解決しようとする課題】
【０００５】
しかしながら、特許文献１に開示されている電池モジュールでは、バッテリーセルの端子とバスバーとの接続をワイヤボンドにより行っているため、接続工程における接続加工の時間が長くなりコストも増大するとともに、このボンディング部分が電流密度が最も高くなるためヒューズとしての機能を果たすが、ボンディングワイヤの長さや太さを電池モジュール内で全て同じ長さ、太さにすることが困難であるためヒューズ特性の安定性にかけるという問題があった。【０００６】
本発明は、かかる点に鑑みてなされたものであり、その目的とするところは、セル同士の接続加工を低コスト且つ確実に行える電池モジュールを提供することにある。
【課題を解決するための手段】
【０００７】
本発明の電池モジュールは、複数の素電池を備えた電池モジュールであって、前記素電池は筒状であって一方の端部に正極端子及び負極端子が配置されており、前記正極端子及び前記負極端子のいずれかの端子は前記一方の端部の中央部に位置しており、別の端子は前記一方の端部の周縁部に位置しているとともに前記素電池の筒の側面部と電気的に接続しており、前記素電池の前記一方の端部の周縁部の上には接続仲介部材が載置されており、前記接続仲介部材は、前記素電池の筒の側面部に沿って延びるとともに前記側面部と電気的に接続しているタブ部を備え、かつ前記一方の端部の中央部を露出させる孔が形成されており、前記複数の素電池は、前記一方の端部が同じ側に並ぶように配列されているとともに、隣合う前記素電池が並んだ列からなる電池ブロックを形成しており、配列された前記複数の素電池の前記一方の端部の上方には電気絶縁性の板が配置されており、前記板には、各前記素電池の前記一方の端部が露出する穴が設けられているとともに、前記素電池に対向する面とは反対側の面の上に複数の導電性部材が設けられており、前記導電性部材は、前記電池ブロックにおける前記素電池が並んだ前記列に沿って延びていて、１つの前記電池ブロックに対して２つ配置されているとともに、前記１つの前記電池ブロックに含まれる各前記素電池の同じ極の端子に前記穴を通って電気的に接続される端子接続部を備えており、前記別の端子と前記端子接続部との電気的接続は、前記端子接続部と前記接続仲介部材との接続によって行われる構成を有している。【０００８】
前記タブ部は隣接する前記素電池から離れた位置に配置されていてもよい。【０００９】
前記素電池は円筒状であり、前記タブ部は互いに隣接する前記素電池間に形成される空間に配置されていてもよい。【００１０】
前記接続仲介部材と前記素電池の一方の端部との間には、電気絶縁性の保護部材が配置されていてもよい。【００１１】
前記接続仲介部材は、前記素電池の筒の側面部に沿って延びる舌片部をさらに有していてもよい。【００１２】
前記接続仲介部材は他の部分よりも外方へ突き出した外方凸部を有しており、前記外方凸部において前記端子接続部と接続が行われていてもよい。【００１３】
前記外方凸部は隣接する前記素電池から離れた位置に配置されていてもよい。
【発明の効果】
【００１４】
本発明では、素電池の一方の端部の周縁部に接続仲介部材が載置されて、接続仲介部材は素電池の筒側面に電気的に接続されていて、その接続仲介部材に導電性部材の端子接続部が接続されているので、端子接続部と接続仲介部材とを確実に電気的に接続させることができる。
【図面の簡単な説明】
【００１５】
【図１】素電池の模式的な断面図である。
【図２】実施形態に係る素電池と接続仲介部材との模式的な斜視図である。
【図３】実施形態に係る接続仲介部材を載置した素電池の模式的な斜視図である。
【図４】実施形態に係る電池モジュールの模式的な斜視図である。
【図５】実施形態に係る電池モジュールの一部を拡大した図である。
【図６】実施形態に係る電池モジュールの１つのセルの一方の端部側を拡大した図である。
【図７】実施形態に係る接続仲介部材を載置した素電池の、負極端子接続部と接続した模式的な斜視図である。
【図８】導電性部材の一例を示す平面図である。
【図９】別の実施形態に係る接続仲介部材の模式的な斜視図である。
【図１０】他の実施形態に係る接続仲介部材の模式的な斜視図である。
【図１１】さらに他の実施形態に係る接続仲介部材の模式的な斜視図である。
【発明を実施するための形態】
【００１６】
以下、本発明の実施形態を図面に基づいて詳細に説明する。以下の好ましい実施形態の説明は、本質的に例示に過ぎず、本発明、その適用物或いはその用途を制限することを意図するものではない。以下の図面においては、説明の簡潔化のため、実質的に同一の機能を有する構成要素を同一の参照符号で示す。
【００１７】
（実施形態１）
＜素電池＞
図１は、本発明の実施形態１における電池モジュールに使用する素電池１０の構成を模式的に示した断面図である。なお、本発明の電池モジュールに使用する電池は、ノート型パソコン等の携帯用電子機器の電源として単体でも使用できる電池であってもよい（以下、電池モジュールに使用する電池を、「素電池」と呼ぶ）。この場合、高性能の汎用電池を、電池モジュールの素電池として使用することができるため、電池モジュールの高性能化、低コスト化をより容易に図ることができる。
【００１８】
本発明の電池モジュールに使用する素電池１０は、例えば、図１に示すような、円筒形のリチウムイオン二次電池を採用することができる。このリチウムイオン二次電池は、通常の構成をなすもので、内部短絡等の発生により電池内の圧力が上昇したとき、ガスを電池外に放出する安全機構を備えている。以下、図１を参照しながら、素電池１０の具体的な構成を説明する。
【００１９】
図１に示すように、正極２と負極１とがセパレータ３を介して捲回された電極群４が、非水電解液とともに、電池ケース７に収容されている。電極群４の上下には、絶縁板９、１１０が配され、正極２は、正極リード５を介してフィルタ１１２に接合され、負極１は、負極リード６を介して負極端子を兼ねる電池ケース７の底部に接合されている。
【００２０】
フィルタ１１２は、インナーキャップ１１３に接続され、インナーキャップ１１３の突起部は、金属製の弁板１１４に接合されている。さらに、弁板１１４は、正極端子８を兼ねる端子板に接続されている。そして、端子板、弁板１１４、インナーキャップ１１３、及びフィルタ１１２が一体となって、ガスケット１１１を介して、電池ケース７の開口部を封口している。なお、電池ケース７は、ガスケット１１１の上端にまで載せられてガスケット１１１を押さえ込むことで、電池ケース７の開口部を強固に封口している。このガスケット１１１の上端に載せられた電池ケース７の上端部分（負極端子７ａ）が端子板（正極端子８）と隣合う位置にあり、円筒の一方側の端部（図では上側）に正極端子８と負極端子７ａとが存していることになる。なお、負極端子７ａは電池ケース７の一部であるので、筒状の電池ケース７の側面部分も負極端子７ａと電気的に接続されている。
【００２１】
素電池１０に内部短絡等が発生して、素電池１０内の圧力が上昇すると、弁体１１４が端子板に向かって膨れ、インナーキャップ１１３と弁体１１４との接合がはずれると、電流経路が遮断される。さらに素電池１０内の圧力が上昇すると、弁体１１４が破断する。これによって、素電池１０内に発生したガスは、フィルタ１１２の貫通孔１１２ａ、インナーキャップ１１３の貫通孔１１３ａ、弁体１１４の裂け目、そして、端子板の開放部８ａを介して、外部へ排出される。
【００２２】
なお、素電池１０内に発生したガスを外部に排出する安全機構は、図１に示した構造に限定されず、他の構造のものであってもよい。
【００２３】
＜接続仲介部材＞
素電池１０の、正極端子８及び負極端子７ａが配置されている一方の端部には、図２，３に示すように接続仲介部材５０が載せられている。接続仲介部材５０は導電体から形成されており、導電体としては金属が好ましく、本実施形態においてはＮｉめっき鋼板を用いている。
【００２４】
接続仲介部材５０は、中央に孔が空いているリング形状の板であり、外周縁において素電池１０の電池ケース７の側面に沿って下方に延びているタブ部６０を有している。また、接続仲介部材５０の外周縁には、タブ部６０とは別の位置に、他の部分よりも外方に突き出した外方凸部６８を有している。また、接続仲介部材５０と素電池１０との間には電気絶縁性の保護部材７０が配置されているので、接続仲介部材５０は保護部材７０を挟んで素電池１０の一方の端部の周縁部（負極端子７ａに該当する部分）の上に載置されている。
【００２５】
タブ部６０は素電池１０の電池ケース７の側面に溶接等によって電気的に接続されており、これによって接続仲介部材５０は負極端子７ａと電気的に接続していることになる。また、外方凸部６８は接続仲介部材５０の外周円よりも少しだけ外方に突き出した部分である。
【００２６】
このような構成により、接続仲介部材５０は負極端子７ａと確実に電気的に接続が行われるとともに、面積が広く且つ表面が平坦な外方凸部６８を確保できる。なお、保護部材７０は接続仲介部材５０と正極端子８との電気的絶縁を確保するとともに、導電部材の正極端子接続部４１が接続仲介部材５０に接触しないために設けられている。
【００２７】
図７に示すように、接続仲介部材５０の外方凸部６８には、導電性部材の負極端子接続部４３が接続されている。本実施形態の外方凸部６８は表面が平坦となっている。一方素電池１０の一方の端部（上面）の外周に該当する負極端子７ａの表面は平坦ではない。図１は模式的であるため負極端子７ａの表面が平坦に描かれているが、実際には電池ケース７の上端部分をかしめ加工を行うために外周縁が丸みを帯びていて、素電池１０の中心軸側に向かうにつれて下側に傾斜している。そのため、接続仲介部材５０を用いないで素電池１０の負極端子７ａに負極端子接続部４３を直接接合（溶接接続）する場合は、両者が線接触または点接触となってしまって接合面積が不足して電気抵抗が大きくなったり、電気的な接続ができなかったりする不具合が生じるおそれがあった。
【００２８】
しかしながら、本実施形態の接続仲介部材５０を用いると、外方凸部６８は表面が平坦であって且つ面積を大きく確保できるため、負極端子接続部４３との接合を行う際には平面同士の接合になって、接合面積を十分大きく確保でき低抵抗で強固な接続を行うことができる。また、保護部材７０が接合の際のクッションとなって、より確実な接合を行うことができる。
【００２９】
＜電池モジュール＞
図４は本実施形態に係る電池モジュール１００の模式的な斜視図である。なお、この図は、説明のためカバー等を取り外した内部構造を示している。図５は図４の一部を拡大した図であり、図６は電池モジュール１００の中の１つの素電池１０の正極端子８及び負極端子７ａが配置され接続仲介部材５０が載置されている一方の端部を拡大した図面である。
【００３０】
電池モジュール１００の中には複数の素電池１０が、正極端子８および負極端子７ａが配置されている一方の端部を図４において上側に向けて並べられている。素電池１０の他方の端部は、電池ホルダ１２０に填め込まれて固定されている。複数の素電池１０は電池モジュール１００内で安全性を考慮した上で最密に充填されているので、隣同士がほぼ近接して並べられていて列Ａ，Ｂ，Ｘ，Ｙをなしている。２つの列Ａ，Ｂが電池ブロック２０を構成している。隣の２つの列Ｘ，Ｙは別の電池ブロックを構成している。これらの列はまっすぐに伸びており、複数の列同士が隣合って平行に配置されている。電池モジュール１００の両側端のそれぞれには、これらの列と平行に伸びる正極側集電部材と負極側集電部材が配置され、それらの端部にそれぞれ正極側外部端子接続部１３０と負極側外部端子接続部１４０が設けられている。
【００３１】
素電池１０の一方の端部の上方には絶縁板（電気絶縁性の板）３０が配置されている。絶縁板３０には一つ一つの素電池１０に対応した穴３１がそれぞれ開けられている。穴３１は接続仲介部材５０の中央の孔よりわずかに小径の円と、その円の外周方向に一部が矩形に切り欠かれた切り欠き部とを有する形状となっており、それぞれの素電池１０の正極端子８と接続仲介部材５０の一部とを露出させている。絶縁板３０の素電池１０に対向する面とは反対側の面の上に板状の金属材料からなる導電性部材４０が設けられている。導電性部材４０は絶縁板３０上に複数存しており、各導電性部材４０はスリット４４，４４ａ，４４ｂによって隔てられていて電気的にそれぞれ独立している。
【００３２】
絶縁板３０の材料としては、例えばガラス繊維をエポキシ樹脂で固めた薄板やアクリル（ＰＭＭＡ）やポリカーボネート（ＰＣ）など樹脂製の板を挙げることができる。導電性部材４０の材料としては、例えばアルミニウム、銅などを挙げることができる。
【００３３】
導電性部材４０は、穴３１に対向している部分の大半が除去されて同じように穴が空いている。ただし、正極端子８に接続されている正極端子接続部４１と接続仲介部材５０に接続されている負極端子接続部４３とは導電性部材４０の穴に突き出している形状となっている。さらには絶縁板３０の穴３１の縁部分において導電性部材４０が穴３１に対して少しオーバーハングした形状となっている。このようにオーバーハングする形状とすることにより、導電性部材４０の面積を大きくすることができ、それにより１つの導電性部材４０を流れる電流量を大きくすることができる。また、導電性部材４０の表面積を大きくすることができ、それにより放熱量を大きくすることができる。
【００３４】
また、負極端子接続部４３のうち、導電性部材４０の本体部分に繋がる連結部分４２が狭幅の短冊形状となっていて、この連結部分４２を通過する単位断面積当たりの電流密度が導電性部材４０の中で最も高くなるように設計されている。即ち、連結部分４２を流れる電流の流路断面積を所定の面積以下にしており、これによって過電流が流れたときに連結部分４２が焼き切れるので、連結部分４２はヒューズの機能を担っていることになる。
【００３５】
導電性部材４０は、レーザーによる切断加工やエッチングなどで形成することが可能である。このような加工をすることにより、それぞれの正極端子接続部４１及び負極端子接続部４３の形状、寸法および断面積のバラツキを小さくすることができる。そのため、負極端子接続部４３の連結部分４２が焼き切れる電流量が、いずれの連結部分４２においてもバラツキなく一定の量にすることができる。
【００３６】
複数の素電池１０は最密に充填されるように並んでいるので、電池モジュール１００を上側から見た場合に、隣合う素電池１０の中心軸が正三角形を形成する配置となっている。そのため隣接する素電池１０同士は三角形（辺は円弧で形成されている）の隙間（空間）を形成している。そして、接続仲介部材５０は、タブ部６０及び外方凸部６８がこの三角形の隙間（空間）に位置するようにそれぞれの素電池１０に載置されている。別言すると、電池モジュール１００では、タブ部６０及び外方凸部６８がこの三角形の隙間（空間）に位置するようにそれぞれの素電池１０を並べており、タブ部６０及び外方凸部６８は、これらが形成されている接続仲介部材５０が載置された素電池１０に隣接する別の素電池から離れた位置に配置されている。従って、隣合う素電池１０の接続仲介部材５０のタブ部６０及び外方凸部６８同士が接触することがないので、短絡等の不具合を防止できる。
【００３７】
図８は、複数の導電性部材４０’，２００ａ，２００ｂ，・・の全体を示す平面図であるが、図面を見やすくし且つ説明をしやすくするために図４の電池モジュール１００より素電池１０の本数を減らしたものである。図８に示す導電性部材４０’，２００ａ，２００ｂ，・・が用いられる電池モジュールにおいては、縦方向に隣合う１２本の素電池１０，１０，・・が並べられて１つの列を構成しており、この列が１２存在している。そして、この列が２つで１つの電池ブロックを構成しており、全体で６つの電池ブロックが存している。なお、図８には、素電池１０を示していないが、図８に示す導電性部材４０’，２００ａ，２００ｂ，・・を用いた電池モジュール（複数の素電池１０を有している）について以下説明をしていく。
【００３８】
図８に示す導電性部材４０’を用いた電池モジュールにおいては、列Ａと列Ｂとで第１の電池ブロックが構成されており、その隣の列Ｘと列Ｙとで第２の電池ブロックが構成されている。各列はそれぞれ１２本の素電池１０で構成されている。また、導電性部材４０’，２００ａ，２００ｂ，・・は素電池１０の列に沿って延びている。
【００３９】
列Ａと列Ｂとで構成された第１の電池ブロックでは、導電性部材２００ａによって列Ａ，Ｂの全ての素電池の負極端子（接続仲介部材）が接続されている。また、導電性部材２００ａによって、列Ｘと列Ｙとで構成された第２の電池ブロックにおいて列Ｘ，Ｙの全ての素電池の正極端子が接続されている。即ち、導電性部材２００ａは列Ａ，Ｂの全ての素電池の負極を並列接続しているとともに、列Ｘ，Ｙの全ての素電池の正極を並列接続しており、さらに列Ａ，Ｂの全ての素電池の負極と列Ｘ，Ｙの全ての素電池の正極とを直列に接続している。なお、複数の導電性部材のうち、両端に配置された導電性部材は、一方の端の導電性部材が一方の端側の電池ブロックの正極端子を並列接続するのみであり、他方の端の導電性部材が他方の端側の電池ブロックの負極端子を並列接続するのみである。
【００４０】
また、列Ｘと列Ｙとで構成された第２の電池ブロックに対しては、列Ｘ，Ｙの全ての素電池の正極端子が接続される導電性部材２００ａと、列Ｘ，Ｙの全ての素電池の負極端子が接続される導電性部材２００ｂとの２つの導電性部材が配置されている。これはいずれの電池ブロックにおいても同様で、１つの電池ブロックに対して２つの導電性部材が配置されている。
【００４１】
従って、図８に示す電池モジュールは、２４個（１２本×２列）の素電池が並列に接続されて構成された電池ブロックが６個直列接続された構成となっている。そして、電池モジュールの両側端にそれぞれ配置される正極側集電部材および負極側集電部材には、電池モジュールの両側端にそれぞれ配置される一方端及び他方端の導電性部材がそれぞれ電気的に接続される。そのため、素電池の２４並列６直列分の電力を電池モジュールの両側端のそれぞれに設けられる正極側外部端子接続部と負極側外部端子接続部とから出力することができる。
【００４２】
本実施形態においては、穴を開けた絶縁板と金属箔からなる導電性部材との組み合わせにより各素電池からの集電を行うことができるので、構造が簡単であって製造コストを低くできる。また導電性部材は金属箔からなっているので、エッチング等で精度良く低コストで加工をすることができ、各素電池に接続されるヒューズ機能を有した部分の各々も、１つの電池モジュール内で破断電流量のバラツキを小さく抑えることができる。
【００４３】
また、素電池の端子との接続と、集電とを１つの金属箔で行っているので、集電のロスを小さく抑えることができる。なお、素電池として１８６５０を用い、導電性部材として厚み１５０μｍのＡｌ箔を用いると、連結部の幅を１ｍｍ、正極端子接続部の幅を３ｍｍ、隣接する導電性部材の穴間の最小寸法を８ｍｍとすると、２Ａ／セルの電流を流すことができる。
【００４４】
また、接続仲介部材を各素電池に載置しているので、導電性部材と各素電池の負極端子との電気的な接続を確実に且つ低抵抗に行うことができる。
【００４５】
さらに、素電池内に発生したガスは、素電池内の圧力が上昇して素電池の外部へ排出されると、その排出口は金属箔である導電性部材が塞いでいるだけなので、ガスは金属箔を破断して容易に排出され、素電池内の圧力が上がりすぎることはない。
【００４６】
正極端子接続部及び負極端子接続部は、形成する位置、形状などを比較的自由に設計できるので、内部短絡が生じにくい設計とすることができ、安全性を高めることができる。
【００４７】
正極端子接続部と正極端子、及び負極端子接続部と負極端子との接続は、正極端子接続部及び負極端子接続部が金属箔からなっているため、溶接等により比較的容易に且つ確実に行うことができて製造コストを低くできる。
【００４８】
（実施形態２）
実施形態２は、実施形態１とは異なる形状の接続仲介部材を用いているが、素電池やそれ以外の部分は実施形態１と同じであるので、実施形態１とは異なる部分を以下に説明する。
【００４９】
図９に実施形態２に係る接続仲介部材５１を示す。本実施形態の接続仲介部材５１は、実施形態１の接続仲介部材５０に舌片部６５を追加した構成となっている。舌片部６５はタブ部６０と同じ形状で、同じ方向へ延びているが、接続仲介部材５１の本体部分に取り付けられている位置はタブ部６０と異なっており、素電池の側面部分に電気的に接続されていない点もタブ部６０とは異なっている点である。素電池１０を電池モジュール１００の配置に並べた際には、この舌片部６５もタブ部６０と同様に、互いに隣接する素電池同士が形成する隙間（空間）の配置されている。
【００５０】
なお、舌片部６５はタブ部６０と異なる形状であってもよい。
【００５１】
本実施形態においてはタブ部６０と舌片部６５との両方で素電池の側面部分を挟み込むため、接続仲介部材５１を素電池１０に載せただけで位置が固定され、タブ部６０を素電池１０の側面に電気的に接続させる場合においても接続仲介部材５１の位置ずれが生じることがないため、取り扱いが容易で製造速度を上げることができ、製造コストの低減を図ることができる。また、本実施形態においても、実施形態１と同じ効果を奏する。
【００５２】
（実施形態３）
実施形態３は、実施形態１とは異なる形状の接続仲介部材を用いているが、素電池やそれ以外の部分は実施形態１と同じであるので、実施形態１とは異なる部分を以下に説明する。
【００５３】
図１０に実施形態３に係る接続仲介部材５２を示す。本実施形態の接続仲介部材５２は、実施形態１の接続仲介部材５０に２つの舌片部６６，６６を追加した構成となっている。舌片部６６，６６はタブ部６０と同じ形状で、同じ方向へ延びているが、接続仲介部材５２の本体部分に取り付けられている位置はそれぞれタブ部６０と異なっており、素電池の側面部分に電気的に接続されていない点もタブ部６０とは異なっている点である。素電池１０を電池モジュール１００の配置に並べた際には、この舌片部６６，６６もタブ部６０と同様に、互いに隣接する素電池同士が形成する隙間（空間）の配置されている。
【００５４】
なお、舌片部６６はタブ部６０と異なる形状であってもよい。
【００５５】
本実施形態においてはタブ部６０と２つの舌片部６６，６６との両方で素電池の側面部分を挟み込むため、接続仲介部材５２を素電池１０に載せただけで位置が固定され、タブ部６０を素電池１０の側面に電気的に接続させる場合においても接続仲介部材５２の位置ずれが生じることがないため、舌片部６５が１つである実施形態２よりもさらに取り扱いが容易で製造速度を上げることができ、製造コストの低減を図ることができる。また、本実施形態においても、実施形態１と同じ効果を奏する。
【００５６】
（実施形態４）
実施形態４は、実施形態１とは異なる形状の接続仲介部材を用いているが、素電池やそれ以外の部分は実施形態１と同じであるので、実施形態１とは異なる部分を以下に説明する。
【００５７】
図１１に実施形態４に係る接続仲介部材５３を示す。本実施形態の接続仲介部材５３は、実施形態１の接続仲介部材５０の外周縁全周から素電池１０の側面に沿って筒状部が延びていて、さらにその先にタブ部６０が延びている構成となっている。
【００５８】
本実施形態においては筒状部を素電池１０にかぶせるため、接続仲介部材５３を素電池１０に載せただけで位置が固定され、タブ部６０を素電池１０の側面に電気的に接続させる場合においても接続仲介部材５３の位置ずれが生じることがないため、取り扱いが容易で製造速度を上げることができ、製造コストの低減を図ることができる。また、素電池１０の内部短絡などにより素電池１０の内部圧力が上昇して安全機構だけでは不十分であって、素電池側面の亀裂からガスが噴出する場合においては、素電池１０の構造に起因して正極端子８と負極端子７ａとが存している素電池１０の円筒の一方側の端部（図では上側）側の筒状部に亀裂が発生することが多いが、この亀裂により隣接する素電池１０が高温のガスにさらされることによる隣接の素電池１０への類焼拡大をストップさせることに有効である。また、本実施形態においても、実施形態１と同じ効果を奏する。
【００５９】
（その他の実施形態）
上述の実施形態は本願発明の例示であって、本願発明はこれらの例に限定されず、これらの例に周知技術や慣用技術、公知技術を組み合わせたり、一部置き換えたりしてもよい。また当業者であれば容易に思いつく改変発明も本願発明に含まれる。
【００６０】
素電池は角筒形状であってもよいし、上端面の中央が負極で周縁が正極であっても構わない。
【００６１】
接続仲介部材の構成材料は金属が好ましいが、導電性を有していれば特に限定されない。また、接続仲介部材のリング状部分の幅も、素電池に載置した際に安定し、正極端子と正極端子接続部との電気的な接続を行う場合の邪魔にならないとともに短絡のおそれがなく、負極端子接続部との接続を確実に行うことができれば、特に限定されない。
【００６２】
タブ部の形状や大きさ・長さ等は上記の例に限定されず、素電池側面との確実な電気的接続および隣の素電池や隣の接続仲介部材と接触しないことが担保できればどのような形状、大きさ、長さであっても構わない。
【００６３】
外方凸部の形状、大きさ、位置などは特に限定されない。外方凸部を設けて、そこで端子接続部との接続を行うことが好ましいが、外方凸部を設けなくても構わない。
【００６４】
絶縁板と導電性部材とは接着剤等で固定することが好ましい。例えば、穴を開けた絶縁板に金属箔を貼り合わせて、その金属箔をエッチング等で加工することにより、導電性部材を形成する方法が製造コストや精度の点で好ましい。
【００６５】
絶縁板の穴の形状は、正極端子と負極端子とが露出すればどのような形状であっても構わない。
【００６６】
導電性部材の素材及び厚みは、電池モジュールの容量や充放電レートの設定などの設計値によって適宜設定すればよい。金属箔を用いてもよいし、金属板を用いてもよい。
【００６７】
ヒューズの機能を担う部分は、正極側の端子接続部でも構わない。また、ヒューズ機能を発揮するために電流の流路断面積を所定の面積以下とするには、その所定の面積はそれぞれの電池モジュールによって異なるため、１列当たりの素電池の本数、電池ブロックを構成する列の数、導電部材の素材と厚みや面積、電池モジュールの充放電レートの設定などを考慮して所定の面積を設定すればよい。
【符号の説明】
【００６８】
７ａ  負極端子
８    正極端子
１０  素電池
２０  電池ブロック
３０  絶縁板（電気絶縁性の板）
３１   穴
４０，４０’  導電性部材
４１   正極端子接続部
４２   連結部分
４３   負極端子接続部
５０，５１，５２，５３ 接続仲介部材
６０  タブ部
６５，６６ 舌片部
６８  外方凸部
７０  保護部材
１００  電池モジュール
２００ａ，２００ｂ  導電性部材
Ａ，Ｂ，Ｘ，Ｙ   列
【図１】
2019244392.tif 000003
【図２】
2019244392.tif 000004
【図３】
2019244392.tif 000005
【図４】
2019244392.tif 000006
【図５】
2019244392.tif 000007
【図６】
2019244392.tif 000008
【図７】
2019244392.tif 000009
【図８】
2019244392.tif 000010
【図９】
2019244392.tif 000011
【図１０】
2019244392.tif 000012
【図１１】
2019244392.tif 000013
【国際調査報告】
2019244392.tif 000014
2019244392.tif 000015
2019244392.tif 000016
2019244392.tif 000017